(57)【特許請求の範囲】
【請求項１】
表示パネルを保持する下フレームと、
該下フレームの側面には、コネクタロック機構を有するコネクタを設けた第１の回路基板が配置され、
該下フレームの裏面には、他の第２の回路基板が配置され、
該表示パネルの周辺部から該下フレームの側面を覆う上フレームと、
該第２の回路基板を覆う基板カバーであり、該上フレームと該コネクタとの間に該基板カバーの一部を挿入する挿入部を備えた基板カバーとを有する表示装置において、
該挿入部の形状は、先端部分の幅が該コネクタロック機構の幅よりも狭く、該基板カバーを設置した際に該コネクタ上に位置する部分の幅は、該コネクタの幅よりも広くなるように設定され、該挿入部の先端形状が、該コネクタのコネクタロック機構に局所的にしか接しないよう構成されていることを特徴とする表示装置。
【請求項２】
請求項１に記載の表示装置において、該挿入部の先端形状は、端部の形状が挿入方向に対して斜めとなるよう設定されていることを特徴とする表示装置。
【発明の詳細な説明】
【技術分野】
【０００１】
本発明は表示装置に関し、特に、表示パネルを保持する下フレームの側面に、コネクタロック機構を有するコネクタを設けた回路基板が配置された表示装置に関する。
【背景技術】
【０００２】
液晶表示装置などの表示装置は、表示パネルを駆動するためのプリント回路基板を表示装置の側面や裏面に配置することが行われている。特許文献１に示すように、液晶表示装置において、複数のプリント回路基板には、例えば、タイミングコントローラを有するプリント回路基板（以下、ＴＣＯＮ基板という）、ＴＣＯＮ基板から液晶表示パネルの映像信号線に入力する信号を中継するプリント回路基板（以下、ドレインＰＣＢという）などがある。ＴＣＯＮ基板は、一般、フレーム部材（以下、下フレームという）の裏面に取り付けられ、ドレインＰＣＢなどは、下フレームの側面に取り付けられる。
【０００３】
ＴＣＯＮ基板とドレインＰＣＢとの間は、フレキシブルプリント配線板（ＦＰＣ）やフレキシブルフラットケーブル（ＦＦＣ）で接続されている。ドレインＰＣＢと表示パネルとの間は、ＦＰＣの上にドライバＩＣを実装したＴＣＰ又はＣＯＦなどと呼ばれる半導体パッケージで接続されている。そして、ドレインＰＣＢには、ＴＣＯＮ基板に接続されたＦＦＣなどのケーブルを接続するため、コネクタロック機構を有するコネクタが配置されている。
【０００４】
医療モニタ用ＴＦＴ製品などの表示装置では、ＴＣＯＮ基板を保護するため、絶縁性の基板カバーが設けられる。さらに、基板カバーの端部を折り曲げ、表示パネルの周辺部から下フレームの側面部を覆う上フレームと、下フレームの側面に配置されたドレインＰＣＢなどの回路基板との隙間に挿入されている。この基板カバーの端部に形成された挿入部を用いて、回路基板に実装されているコネクタまで覆うことで、コネクタと上フレームを絶縁する構造になっている。
【先行技術文献】
【特許文献】
【０００５】
【特許文献１】特開２００８−５８７８７号公報
【発明の概要】
【発明が解決しようとする課題】
【０００６】
しかしながら、基板カバーの挿入部の挿入に際して、下フレームの側面の回路基板に実装されているコネクタのコネクタロック機構に挿入部の先端が引っ掛かり、その状態でさらに挿入部を押し込むと、当該機構が外れてＦＦＣなどのケーブルとコネクタとの電気的接続が取れなくなり、表示不良の原因となっている。
【０００７】
本発明の解決しようとする課題は、上述した問題を解消し、表示装置の組み立て作業に際して、基板カバーを取り付ける際に、下フレームの側面に配置された回路基板のコネクタのコネクタロック機構を解除することを防止し、表示不良を抑制した表示装置を提供することである。
【課題を解決するための手段】
【０００８】
上記課題を解決するため、以下のような特徴を有する表示装置が利用可能である。
（１）  表示パネルを保持する下フレームと、該下フレームの側面には、コネクタロック機構を有するコネクタを設けた第１の回路基板が配置され、該下フレームの裏面には、他の第２の回路基板が配置され、該表示パネルの周辺部から該下フレームの側面を覆う上フレームと、該第２の回路基板を覆う基板カバーであり、該上フレームと該コネクタとの間に該基板カバーの一部を挿入する挿入部を備えた基板カバーとを有する表示装置において、該挿入部の先端形状は、該コネクタのコネクタロック機構に局所的にしか接しないよう構成されていることを特徴とする。
【０００９】
（２）  上記（１）に記載の表示装置において、該挿入部の先端形状は、端部の形状が挿入方向に対して斜めとなるよう設定されていることを特徴とする。
【００１０】
（３）  上記（１）又は（２）に記載の表示装置において、該挿入部の形状は、先端部分の幅が該コネクタロック機構の幅よりも狭く、該基板カバーを設置した際に該コネクタ上に位置する部分の幅は、該コネクタの幅よりも広いことを特徴とする。
【発明の効果】
【００１１】
本発明のように、基板カバーの挿入部の先端形状は、コネクタのコネクタロック機構に局所的にしか接しないよう構成されているため、挿入部を押し込んでも、コネクタロック機構が挿入部から受ける力を小さくすることができる。また、局所的に挿入部が変形しコネクタの上面を滑ることで、コネクタロック機構を解除することなく、基板カバーを装着することが可能となる。
【００１２】
しかも、基板カバーの挿入部の先端形状を変えるだけで良いため、部品の追加やコスト増加も無く、基板カバーの挿入部の挿入作業も従来通りのままで、表示不良の発生を防止することができる。
【図面の簡単な説明】
【００１３】
【図１】本発明の表示装置の概略を説明する断面図である。
【図２】本発明の表示装置に使用される基板カバーの挿入部とコネクタを備えた回路基板との関係を説明する図である。
【図３】基板カバーの挿入部の先端形状を説明する図である。
【図４】基板カバーの挿入部の他の先端形状を説明する図である。
【発明を実施するための形態】
【００１４】
本発明の表示装置について、以下に詳細に説明する。
図１は、本発明の表示装置の一例を示す断面図である。
表示パネルＤＰは、液晶表示パネルや有機エレクトロルミネッセンス表示パネルなど種々のフラット型表示パネルである。表示パネルＤＰは、フレーム部材（下フレーム）ＳＦの所定位置に配置され、保持されている。表示パネルに、液晶表示パネルのような透過光を選択に制御する表示パネルを使用する場合、下フレームＳＦの内部には、バックライトが配置される。
【００１５】
本発明の表示装置の側面側、特に、下フレームＳＦの側面には、コネクタロック機構を有するコネクタＣＮを設けた第１の回路基板ＣＢ１が配置されている。また、下フレームＳＦの裏面には、他の第２の回路基板ＣＢ２が配置されている。第１の回路基板ＣＢ１は、上述したドレインＰＣＢなどの表示装置の側面側に配置可能な回路基板であり、第２の回路基板ＣＢ２は、上述したＴＣＯＮ基板など表示装置の背面側に配置可能な回路基板である。
【００１６】
表示パネルＤＰと第１の回路基板ＣＢ１とは、ドライバＩＣを装着したフレキシブルプリント配線板ＦＰＣなどで接続されている。また、第１の回路基板ＣＢ１と第２の回路基板ＣＢ２とは、フレキシブルプリント配線板やフレキシブルフラットケーブルＦＦＣなどで接続されている。少なくとも第１の回路基板ＣＢ１には、ＦＦＣなどを接続するためのコネクタＣＮが設けられ、当該コネクタは、ＦＦＣなどを装着し固定するためのコネクタロック機構が備わっている。
【００１７】
本発明の表示装置には、表示パネルＤＰの周辺部から下フレームＳＦの側面を覆う上フレームＵＦが設けられている。また、表示装置の背面側に配置された第２の回路基板ＣＢ２を保護するため、該第２の回路基板は、絶縁性を有する樹脂等で形成された基板カバーＢＣで覆われている。
【００１８】
さらに、基板カバーＢＣの一部は、上フレームＵＦと第１の回路基板ＣＢ上のコネクタＣＮとの間に挿入される挿入部１を形成している。この挿入部は、コネクタや第１の回路基板ＣＢが金属製上フレームＵＦと電気的に接触することを防止している。
【００１９】
本発明の表示装置の特徴は、基板カバーＢＣの挿入部の先端形状を、図２乃至４に示すように、コネクタＣＮのコネクタロック機構２に局所的にしか接しないよう構成することである。
【００２０】
挿入部の先端の具体的な形状としては、図２の矢印１０に示すように、挿入部１の端部の形状が挿入方向Ａに対して斜めとなるよう設定されている。図２で使用する各符号は、図１と同じ部材については、同様の符号を使用している。
【００２１】
つまり、図２では、基板カバーＢＣの挿入部１の端部を、挿入方向に斜め（コネクタロック機構２の長辺に対して斜め）として、挿入部の先端１０がコネクタロック機構２に局所的にしか接しないにように構成されている。
【００２２】
この構成により、基板カバーＢＣの挿入部１が、挿入時に途中でコネクタロック機構２に掛かった場合でも、更に挿入部１を押し込んでも、挿入部の端部の一点しかコネクタロック機構に接触せず、当該ロック機構が受ける力も少なく、当該ロック機構が外れることがない。また、引っ掛った状態で無理やり挿入部１を押し込んでも斜め形状により、カバーがコネクタ上側へすべることで、コネクタロック機構が外れること無く挿入部を奥まで挿入することができる。
【００２３】
挿入部の先端形状としては、図２の符号１０に示すような直線状に斜めにカットするものに限らず、図３（ａ）の符号１１のように凹型の曲線（弧）形状や、図３（ｂ）の符号１２のような凸型の曲線（弧）形状、さらには、図３（ｃ）のようなＳ字形状（波形）とするなど、挿入部の端部を挿入方向（図の上方向）と斜めになるように、種々の設定が可能である。また、図３（ｄ）のように、挿入部１の中央付近を凸状に形成することも可能である。
【００２４】
挿入部の先端形状の他の例としては、図４に示すように、先端部分の幅Ｓ１が該コネクタロック機構２の幅Ｗ１よりも狭く、基板カバーを設置した際にコネクタＣＮ上に位置する部分の幅Ｓ２は、該コネクタの幅Ｗ２よりも広く設定することで、挿入部が局所的にしかコネクタロック機構に接しないよう構成することができる。
【００２５】
挿入部１の先端部分の形状が、コネクタロック機構２の長辺と平行であっても、図４に示すように、先端部分の幅Ｓ１がコネクタロック機構の幅Ｗ１より狭い場合には、当該ロック機構に加わる力が軽減され、当該ロック機構が解除されることを抑制することが可能となる。先端部分の幅Ｓ１は、幅Ｗ１の半分以下、好ましくは３分の１以下に設定することで、コネクタロック機構２に挿入部１が掛っても、先端部分が変形し当該ロック機構上を滑って、挿入部１がさらに挿入されることとなる。
【００２６】
以上では、本発明は、モジュール側面に配置されたコネクタロック機構が有るコネクタを実装した回路基板と、それと組み合わさるフレーム間の隙間に絶縁シートを挿入するような構造の表示装置であれば、液晶表示装置に限らず、種々の表示装置に適用することが可能である。
【産業上の利用可能性】
【００２７】
以上のように、本発明によれば、表示装置の組み立て作業に際して、基板カバーを取り付ける際に、下フレームの側面に配置された回路基板のコネクタのコネクタロック機構を解除することを防止し、表示不良を抑制した表示装置を提供することが可能となる。
【符号の説明】
【００２８】
１  基板カバーの挿入部
２  コネクタロック機構
ＢＣ  基板カバー
ＣＢ１  第１の回路基板
ＣＢ２  第２の回路基板
ＣＮ  コネクタ
ＤＰ  表示パネル
ＦＦＣ  フレキシブルフラットケーブル
ＦＰＣ  フレキシブルプリント配線板
ＳＦ  下フレーム（フレーム部材）
ＵＦ  上フレーム
【図１】
0005627565.tif 000002
【図２】
0005627565.tif 000003
【図３】
0005627565.tif 000004
【図４】
0005627565.tif 000005